(57)【要約】【課題】仏壇及び経机の宗教的形式性を維持すると共に、更に装飾的な付加価値を醸成した新規な仏壇及び経机を提供する。【解決手段】外側板、中板、内板の三枚で構成され、上記外側板が表面の所々に蒔絵を配したものであり、次に上記中板がガラス板表面の所々に蒔絵を配したものであり、続いて上記内板がガラス板の表面全面に透過性の透漆が塗布されると共に透明板の表面の所々に蒔絵が施された透過性蒔絵板を所定間隔で離間して欄間３２と須弥脇３４に、更に、上記外側板、内板の二枚で構成された透過性蒔絵板を所定間隔で離間して須弥壇３３の枠体部に嵌め込む。【選択図】図１２
2008183282.tif 000002
【特許請求の範囲】
【請求項１】
欄間、須弥壇、猫戸、障子腰等の枠体部の一つ以上に、蒔絵が施こされたガラス板・アクリル板等の透過性蒔絵板を複数枚所定間隔で離間し嵌め込んだことを特徴とする、仏壇。
【請求項２】
引出しの枠体部に、蒔絵が施こされたガラス板・アクリル板等の透過性蒔絵板を複数枚所定間隔で離間し嵌め込んだことを特徴とする、経机。
【請求項３】
透過性蒔絵板が外側板、中板、内板の三枚で構成され、上記外側板がガラス板・アクリル板等の透明板であると共に表面又は裏面の所々に蒔絵を配したものであり、次に上記中板がガラス板・アクリル板等の透明板であると共に表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項１記載の仏壇。
【請求項４】
透過性蒔絵板が外側板、中板、内板の三枚で構成され、上記外側板がガラス板・アクリル板等の透明板であると共に表面又は裏面の所々に蒔絵を配したものであり、次に上記中板がガラス板・アクリル板等の透明板であると共に表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項２記載の経机。
【請求項５】
透過性蒔絵板が外側板、中板、内板の三枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記中板がガラス板・アクリル板等の透明板であって当該透明板の表面又は裏面の全面に透過性の透漆が塗布されると共に当該透明板の表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項１記載の仏壇。
【請求項６】
透過性蒔絵板が外側板、中板、内板の三枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記中板がガラス板・アクリル板等の透明板であって当該透明板の表面又は裏面の全面に透過性の透漆が塗布されると共に当該透明板の表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項２記載の経机。
【請求項７】
透過性蒔絵板が外側板、内板の二枚で構成され、上記外側板がガラス板・アクリル板等の透明板であると共に表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項１記載の仏壇。
【請求項８】
透過性蒔絵板が外側板、内板の二枚で構成され、上記外側板がガラス板・アクリル板等の透明板であると共に表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項２記載の経机。
【請求項９】
透過性蒔絵板が外側板、内板の二枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項１記載の仏壇。
【請求項１０】
透過性蒔絵板が外側板、内板の二枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものであることを特徴とする、請求項２記載の経机。
【請求項１１】
透過性蒔絵板の外側板には近景に係る蒔絵を配し、中板には中景に係る蒔絵を配し、そして内側板には遠景に係る蒔絵を施こしたものであることを特徴とする、請求項３又は請求項５記載の仏壇。
【請求項１２】
透過性蒔絵板の外側板には近景に係る蒔絵を配し、中板には中景に係る蒔絵を配し、そして内側板には遠景に係る蒔絵を施こしたものであることを特徴とする、請求項４又は請求項６記載の経机。
【請求項１３】
透過性蒔絵板の外側板には近景に係る蒔絵を配し、内側板には遠景に係る蒔絵を施こしたものであることを特徴とする、請求項７又は請求項９記載の仏壇。
【請求項１４】
透過性蒔絵板の外側板には近景に係る蒔絵を配し、内側板には遠景に係る蒔絵を施こしたものであることを特徴とする、請求項８又は請求項１０記載の経机。
【発明の詳細な説明】
【技術分野】
【０００１】
本発明は、新規な仏壇及び経机に関するものであり、仏壇の欄間、須弥壇、猫戸、障子腰等の枠体部及び経机の引出し枠体部に、花鳥風月等の蒔絵が施こされたガラス板・アクリル板等の透過性蒔絵板を複数枚所定間隔で離間し嵌め込むことにより、畳重された蒔絵模様に深遠な奥行感を醸生することで美的付加価値を付与した仏壇及び経机に関するものである。
【背景技術】
【０００２】
仏壇は、仏を祀る厨子であり、内部は仏堂を模した荘厳な造作となっており、仏像や先祖の位牌が収納され、家庭内における日々の信仰の対象となっている。また、仏壇はその系譜から金仏壇、唐木仏壇、家具調仏壇に大別されるといわれている。先ず、金仏壇は、全体に黒の漆塗りが施され、内部に金箔が貼られているものであり、塗り仏壇とも呼ばれている。また、この金仏壇の製造には、木地師、宮殿師、彫刻師、塗り師、呂色師、金箔押師、蒔絵師、彩色師、飾金具師、仕立師など多くの職人の手を要すものであると共に産地の職人が伝統的材料と技法で製作する伝統工芸品であることから高級仏壇としての評価が高い。更に、唐木仏壇は、黒檀や紫檀などの銘木と呼ばれる木材の木目模様を表出したことを特徴とするものであり、その代表的な木質は、黒檀、紫檀の他に、桑、欅等も挙げられる。そもそも唐木とは、中国の唐の時代に、唐から輸入された東南アジア産の銘木のことを指しており、日本では産出されない黒檀や紫檀を材料として使用していたことにその名の由来がある。更にまた、住宅環境の洋風化を受け、近年需要の増加を見せている家具調仏壇は、種々の形態から成るものであり、一見高級家具の面持ちを有し、洋間に合わせた新しいデザインの仏壇と言える。また、宗教的な彫刻や宮殿を排除して、インテリア性を重視したデザインとなっている。更に、その材質は、ナラ、ウォールナット、ニレ、チーク、クルミ等の家具材が使用され、明るい色調を特徴としている。また、経机は仏壇の前に配置して読経のために経本を置いたり、写経をしたりしたので経机と呼ばれたものと考えられるが、一般家庭における使用方法は、経机の上に香炉や火立、線香立、リン、念珠、花瓶、供物などを置くのが普通となっている。また、引出しのある経机は、その引出しの中に経本、念珠、線香、ロウソク等を収納するという利便性がある。更に、経机は仏壇に付帯する仏具として考えられることから、仏壇が金仏壇である場合には経机も全体に黒の漆塗りが施され、外観に金箔があしらわれた塗り経机が適し、仏壇が唐木仏壇の場合には黒檀、紫檀等の銘木の木目模様を現出した唐木経机が相応しいとされている。
【０００３】
一方、近年、伝統的な仏壇産地における職人の高齢化と技術を伝承する若手職人が不足している問題や、貴重材の品薄に伴う材料の高騰に加え、中国等の人件費が廉価な諸外国において生産された低価格な仏壇の台頭によって、国内産地における仏壇の需要は益々衰退の一途を辿っているといわれている。しかしながら、このような状況に至る要因の一つには、いずれの仏壇も可もなく不可もない、というように差別化が図られてこなかったことにも原因があると考えられる。例えば、唐木仏壇においては、すべて黒檀の無垢材からなる総無垢の仏壇は、一般的な需要者の購入可能価格を遥かに超えた高価なものであるが故に僅かな生産に止まり、現在の多くの仏壇は、朴の木、セピター、ジョンコン、合板、ＭＤＦボード等の合成木材を芯材にし、当該芯材に黒檀や紫檀等の銘木を張った張合わせ材を用いたものとなっている。ここで、以上の総無垢の仏壇と張合わせ材から成る仏壇の差異は、基本的には使用材料の違いという点に尽き、仏壇自体の様式性、即ち外観形状や内部の造作においては、大きな相違点はないと考えられる。更に、言うまでもなく仏壇の付帯仏具と考えられる経机についても同様の事情が存在する。
【０００４】
更にまた、それらの事情は宗教的な彫刻や宮殿を排除してインテリア性を重視した上記家具調仏壇は別として、伝統的な仏壇とされる金仏壇や唐木仏壇並びに経机においては、宗教用具としての様式性が堅持されていることに本来の価値観があると解釈されるため、これらの仏壇及び経机の外観形状や内部の造作には、さほど大きな相違点を創出し難いという問題があった。
【０００５】
一方、宗教的な雰囲気を出しながら新しいイメージの仏壇を提供しようとするものに、特開２００１−２７５８２３号がある。当該発明は、近代的なデザインの仏壇にマッチした内戸又は外戸又は欄間の意匠を提供することを目的とするものであり、その第一の要旨は、仏壇の正面に取り付けられた戸の窓の部分にステンドグラスを嵌め込んだ仏壇であること。第二の要旨は、仏壇の欄間にステンドグラスを嵌め込んだ仏壇であること。そして、第三の要旨は、第一又は第二の要旨のステンドグラスが、エッチングされたもの又は模様として描かれたものの双方を含むものであること。更に、第四の要旨は、第一の要旨又は第三の要旨のステンドグラスの嵌め込む戸が、内戸又は外戸又はこの双方が対象であること。更にまた、第五の要旨は、第一の要旨乃至第四の要旨のステンドグラスの素材が、ガラス又はプラスチックを含むものであることであった。＜BR＞
【特許文献１】特開２００１−２７５８２３号
【発明の開示】
【発明が解決しようとする課題】
【０００６】
上記背景技術の項に記載のように、伝統的な仏壇とされる金仏壇や唐木仏壇においては、宗教用具としての仏壇の様式性が堅持されていることに本来の価値観があると解釈されるため、これらの仏壇の外観形状や内部の造作には、さほど大きな相違点を創出し難いという問題があった。また、特開２００１−２７５８２３号に開示された仏壇は、宗教的な雰囲気を出しながら新しいイメージの仏壇を提供しようとするものであり、仏壇の内戸又は外戸の窓あるいは仏壇の欄間にステンドグラスを嵌め込んだものが開示されており、作用の項に、ステンドグラスが持つイメージは一部において教会、つまり宗教的なものをイメージし、然もサイケ調のカットや色彩は装飾的に質感、豪華さを高め、集合住宅や洋間にマッチするものであるとの記載があるが、現実的には、宗教用具としての仏壇の様式性は仏教の基づくものであり、方やキリスト教教会の窓に嵌め込まれているステンドグラスは西洋建築の要素を醸し出すものであるがゆえ、和洋混交なものとして違和感が感受されるという課題があった。そこで、本発明者は上記背景技術等の課題に着目して種々の意匠的検討と研究の末に、本発明に到達したものであり、家庭内における日々の信仰の対象となっている宗教用具としての仏壇及び経机の宗教的形式性を維持すると共に、更に装飾的な付加価値を醸成した新規な仏壇及び経机を提供することを目的とする。
【課題を解決するための手段】
【０００７】
上記目的を達成するため、本発明に係る仏壇は、欄間、須弥壇、猫戸、障子腰等の枠体部の一つ以上に、蒔絵が施こされたガラス板・アクリル板等の透過性蒔絵板を複数枚所定間隔で離間し嵌め込んだものであることを第一の要旨とする。
【０００８】
更に、本発明に係る経机は、経机の引出しの枠体部に、蒔絵が施こされたガラス板・アクリル板等の透過性蒔絵板を複数枚所定間隔で離間し嵌め込んだものであることを第二の要旨とする。
【０００９】
また、本発明に係る仏壇及び経机に係る透過性蒔絵板は、外側板、中板、内板の三枚で構成され、上記外側板がガラス板・アクリル板等の透明板であると共に表面又は裏面の所々に蒔絵を配したものであり、次に上記中板がガラス板・アクリル板等の透明板であると共に表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものとすることができる。
【００１０】
更に、本発明に係る仏壇及び経机に係る透過性蒔絵板は、外側板、中板、内板の三枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記中板がガラス板・アクリル板等の透明板であって当該透明板の表面又は裏面の全面に透過性の透漆が塗布されると共に当該透明板の表面又は裏面の所々に蒔絵を配したものであり、続いて上記内板がガラス板・アクリル板等の透明板であって当該透明板の表面又は裏面の全面に透過性の透漆が塗布されると共に当該透明板の表面又は裏面の所々に蒔絵が施されているものとすることができる。
【００１１】
更にまた、本発明に係る仏壇及び経机に係る透過性蒔絵板は、外側板、内板の二枚で構成され、上記外側板がガラス板・アクリル板等の透明板であると共に表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものとすることができる。
【００１２】
続いてまた、本発明に係る仏壇及び経机に係る透過性蒔絵板は、外側板、内板の二枚で構成され、上記外側板がガラス板・アクリル板等の透明板であって当該透明板の表面又は裏面の全面に透過性の透漆が塗布されると共に当該透明板の表面又は裏面の所々に蒔絵を配したものであり、次に上記内板がガラス板・アクリル板等の透明板であって当該透明板の表面又は裏面の全面に透過性の透漆が塗布されると共に当該透明板の表面又は裏面の所々に蒔絵が施されているものであるとすることができる。
【００１３】
そしてまた、本発明に係る仏壇及び経机に係る透過性蒔絵板を所定の枠体部に複数枚所定間隔で離間し嵌め込み構成する場合、畳重された蒔絵模様がより深遠な奥行感を醸生するために、外側板には近景に係る蒔絵を配し、中板には中景に係る蒔絵を配し、そして内側板には遠景に係る蒔絵を施すようにすることが好ましい。
【００１４】
続いてまた、本発明に係る仏壇及び経机に係る透過性蒔絵板を所定の枠体部に複数枚所定間隔で離間し嵌め込み構成する場合、畳重された蒔絵模様がより深遠な奥行感を醸生するために、外側板には近景に係る蒔絵を配し、内側板には遠景に係る蒔絵を施すようにすることが好ましい。
【発明の効果】
【００１５】
本発明に係る仏壇及び経机は、以上のような構成により成ることから、下記のような効果を奏す。
【００１６】
先ず、本発明に係る仏壇及び経机は、仏壇の欄間、須弥壇、猫戸、障子腰等の枠体部の一つ以上及び経机の引出し枠体部に、花鳥風月等の蒔絵が施こされたガラス板・アクリル板等の透過性蒔絵板を複数枚所定間隔で離間し嵌め込むことにより、畳重された蒔絵模様によって深遠な奥行感を醸生することができるので、仏壇及び経机に美的付加価値を付与することができるという効果がある。
【００１７】
続いて、本発明に係る仏壇及び経机は、従来の伝統的仏壇や経机とされる、金仏壇や唐木仏壇、塗り経机や唐木経机に比べ、仏壇の欄間、須弥壇、猫戸、障子腰等の枠体部及び経机の引出し枠体部に、複数枚所定間隔で透過性蒔絵板を所定間隔で離間し嵌め込んだものであるから、仏壇及び経机に色彩的変化を与えることで、従来の金仏壇や唐木仏壇、塗り経机や唐木経机との差別化を図ることができるという効果もある。
【００１８】
更に、本発明に係る仏壇及び経机は、仏壇の欄間、須弥壇、猫戸、障子腰等の枠体部の一つ以上及び経机の引出し枠体部に、花鳥風月等の蒔絵が施こされた透過性蒔絵板を嵌め込んだものであるから、日々の信仰の対象となっている宗教用具として宗教的違和感がないという効果もある。
【発明を実施するための最良の形態】
【００１９】
本発明に係る仏壇及び経机は、仏壇及び経机の宗教的形式性を維持すると共に、更に装飾的な付加価値を醸成するという目的を、仏壇の欄間、須弥壇、猫戸、障子腰等の枠体部の一つ以上及び経机の引出し枠体部に、花鳥風月等の蒔絵が施こされたガラス板・アクリル板等の透過性蒔絵板を複数枚所定間隔で離間し嵌め込むことにより実現した。
【実施例１】
【００２０】
以下、図面を参照しながら、更に本発明の実施例に基き本発明を詳説するものとする。
【００２１】
先ず、図１は標準的な仏壇の正面図である。仏壇１は伝統的な宗教用具であり、各部に固有の名称が付されている。図１により、各部について説明すると、一般的に仏壇１は本体１３と下台１２から構成されている。なお、下台１２がなく比較的小型の上置タイプのものも存在する。更に、図示の符号の順にその名称を述べると、符号２は欄間２、符号３は戸張３、符号４は大戸４、符号５は障子５、符号６は須弥壇６、符号７は須弥脇７、符号８は中段８、符号９は障子腰９、符号１０は太鼓脇１０、そして符号１１は猫戸１１である。ここで、上記欄間２、戸張３、大戸４、障子５、須弥壇６、須弥脇７、中段８、障子腰９、太鼓脇１０、そして猫戸１１は、従来唐木仏壇であれば微細な彫刻が施された板体であり、金仏壇であれば更に彫刻の上に金箔の貼られた板体が、いずれも枠体部に嵌め込まれたもので構成されている。
【００２２】
次に、図２は標準的な経机の正面図である。経机１４は通常上記仏壇１の手前に配置される宗教用具であり、仏壇１が金仏壇である場合には経机１４も全体に黒の漆塗りが施され、外観に金箔があしらわれた塗り経机１４が適し、仏壇１が唐木仏壇の場合には黒檀、紫檀等の銘木の木目模様を現出した唐木経机１４が相応しいとされている。また、図中の符号１５は枠体部に嵌め込まれている鏡板１５である。
【００２３】
更に、図３は本発明に係る透過性蒔絵板を外側板、中板、内板の三枚で構成した際の平面図である。図３において、内板１６は透明なガラス板であり、その表面全面には透過性の朱系の透漆が塗布されるていると共に表面に漆で文様を描き、この漆を接着剤として金属粉・貝粉などを蒔いて加飾する蒔絵の技法によって、左右から延びた桜の枝と花びらが描かれている。次に、中板１７は透明なガラス板であり、蒔絵技法によって描かれた風に舞う桜の花びらや葉が所々に配されている。続いて、外板１８は透明なガラス板であり、蒔絵技法によって描かれた風に舞う桜の花びらや葉が所々に配されている。ここで、上記内板１６、中板１７、外板１８に描かれた蒔絵模様は一部の模様が重なる程度に配慮して配置されている。更に、遠近感を醸成するため内板１６には遠景を、中板１７には中景を、そして外板１８には近景を描くようにする。
【００２４】
続いて、図４は本発明に係る透過性蒔絵板を外側板、中板、内板の三枚で構成した際のもう一つの平面図である。図４において、内板１９は透明なアクリル板であり、その裏面全面には透過性の黄系の透漆が塗布されるていると共に表面に漆で文様を描き、この漆を接着剤として金属粉・貝粉などを蒔いて加飾する蒔絵の技法によって、左右から延びた桜の枝と花びらが描かれている。次に、中板２０は透明なアクリル板であり、内板１９同様その裏面全面には透過性の黄系の透漆が塗布されるていると共に表面に漆で文様を描き、この漆を接着剤として金属粉・貝粉などを蒔いて加飾する蒔絵の技法によって、風に舞う桜の花びらや葉が所々に描かれている。続いて、外板２１は透明なアクリル板であり、裏面全面には透過性の黄系の透漆が塗布されるていると共に表面には蒔絵の技法によって、風に舞う桜の花びらや葉が所々に描かれている。
【００２５】
続いてまた、図５は本発明に係る透過性蒔絵板を外側板、内板の二枚で構成した際の平面図である。図５において、内板２２は透明なアクリル板であり、その表面全面には透過性の朱系の透漆が塗布されるていると共に表面に漆で文様を描き、この漆を接着剤として金属粉・貝粉などを蒔いて加飾する蒔絵の技法によって、左右から延びた桜の枝と花びらが描かれている。次に、外板２３は透明なアクリル板であり、蒔絵技法によって描かれた風に舞う桜の花びらや葉が所々に配されている。
【００２６】
そしてまた、図６は本発明に係る透過性蒔絵板を外側板、内板の二枚で構成した際のもう一つの平面図である。図６において、内板２４は透明なガラス板であり、その裏面全面には透過性の黄系の透漆が塗布されるていると共に表面に漆で文様を描き、この漆を接着剤として金属粉・貝粉などを蒔いて加飾する蒔絵の技法によって、左右から延びた桜の枝と花びらが描かれている。次に、外板２５は透明なガラス板であり、蒔絵技法によって描かれた風に舞う桜の花びらや葉が所々に配されている。
【００２７】
一方、図７は三枚構成から成る透過性蒔絵板を枠体部に嵌め込んだ際の概要図である。図示において、上側が仏壇の内部側であり、下側が仏壇の表面側となる。また、図中のハッチングは朱系の透漆が塗布されたガラス板であることを示している。そこで、図示のように、当該透過性蒔絵板は枠体部２６に対して、所定間隔に離間し嵌め込まれている。詳しくは、表面全面に透過性の朱系の透漆が塗布されるていると共に表面に蒔絵の技法によって、左右から延びた桜の枝と花びらが描かれた内板１６が仏壇の内側に嵌め込まれ、次に蒔絵技法によって描かれた風に舞う桜の花びらや葉が所々に配された中板１７が内板１６と外板１８の間に嵌め込まれている。続いて、蒔絵技法によって描かれた風に舞う桜の花びらや葉が所々に配された外板１８が仏壇の表面側に嵌め込まれている。これらを仏壇の表面側から観察すると、畳重された桜の枝や花びら等の蒔絵模様は、落ち着きのある朱系の背景色をバックに風に舞う花びらと桜の枝間に段階的な奥行感と深遠な美観が感得されるものであった。
【００２８】
次に、図８は三枚構成から成る透過性蒔絵板を枠体部に嵌め込んだ際のもう一つの概要図である。図示において、上側が仏壇の内部側であり、下側が仏壇の表面側となる。また、図中のハッチングは黄系の透漆が塗布されたアクリル板であることを示している。ここで、図示のように、当該透過性蒔絵板は枠体部２６に対して、所定間隔に離間し嵌め込まれている。詳しくは、裏面全面に透過性の黄系の透漆が塗布されるていると共に表面に蒔絵の技法によって、左右から延びた桜の枝と花びらが描かれた内板１９が仏壇の内側に嵌め込まれ、次に上記内板１９同様に裏面全面に透過性の黄系の透漆が塗布されるていると共に表面に蒔絵の技法によって描かれた風に舞う桜の花びらや葉が所々に配された中板２０が内板１９と外板２１の間に嵌め込まれている。続いて、中板２０と同様に裏面全面に透過性の黄系の透漆が塗布されるていると共に表面に蒔絵技法によって描かれた風に舞う桜の花びらや葉が所々に配された外板２１が仏壇の表面側に嵌め込まれている。これらを仏壇の表面側から観察すると、畳重された桜の枝や花びら等の蒔絵模様は、シックな黄系の背景色をバックに風に舞う花びらと桜の枝間に段階的な奥行感と深遠な美観が感得されるものであった。
【００２９】
更に、図９は二枚構成から成る透過性蒔絵板を枠体部に嵌め込んだ際の概要図である。図示において、上側が仏壇の内部側であり、下側が仏壇の表面側となる。また、図中のハッチングは朱系の透漆が塗布されたアクリル板であることを示している。ここで、図示のように、当該透過性蒔絵板は枠体部２６に対して、所定間隔に離間し嵌め込まれている。詳しくは、表面全面に透過性の朱系の透漆が塗布されるていると共に表面に蒔絵の技法によって、左右から延びた桜の枝と花びらが描かれた内板２２が仏壇の内側に嵌め込まれ、次に表面に蒔絵技法によって描かれた風に舞う桜の花びらや葉が所々に配された外板２３が仏壇の表面側に嵌め込まれている。これらを仏壇の表面側から観察すると、畳重された桜の枝や花びら等の蒔絵模様は、落ち着きのある朱系の背景色をバックに風に舞う花びらと桜の枝間に奥行感と深遠な美観が感得されるものであった。
【００３０】
続いて更に、図１０は二枚構成から成る透過性蒔絵板を枠体部に嵌め込んだ際のもう一つの概要図である。図示において、上側が仏壇の内部側であり、下側が仏壇の表面側となる。また、図中のハッチングは黄系の透漆が塗布されたガラス板であることを示している。ここで、図示のように、当該透過性蒔絵板は枠体部２６に対して、所定間隔に離間し嵌め込まれている。詳しくは、、裏面全面に透過性の黄系の透漆が塗布されるていると共に表面に蒔絵の技法によって、左右から延びた桜の枝と花びらが描かれた内板２４が仏壇の内側に嵌め込まれ、次に裏面全面に透過性の黄系の透漆が塗布されるていると共に表面に蒔絵技法によって描かれた風に舞う桜の花びらや葉が所々に配された外板２５が仏壇の表面側に嵌め込まれている。これらを仏壇の表面側から観察すると、畳重された桜の枝や花びら等の蒔絵模様は、シックな黄系の背景色をバックに風に舞う花びらと桜の枝間に奥行感と深遠な美観が感得されるものであった。
【００３１】
続いて、図１１は三枚構成から成る透過性蒔絵板を重畳した際の正面図である。ここで、当該透過性蒔絵板２７の絵柄は左右へ延びる蔓植物の枝と連続する花弁が蒔絵模様として描かれているが、図中の符号２８は、上記透過性蒔絵板２７の内で内板に描かれた蒔絵２８であり、符号２９は透過性蒔絵板２７の内で中板に描かれた蒔絵２９、更に符号３０は透過性蒔絵板２７の内で外板に描かれた蒔絵３０を示している。ここで、内板の表面全面には透過性の朱系の透漆が塗布されるていることから、シックな朱系の背景色をバックに風に揺れる連続的な花弁と枝葉間に奥行感と深遠な美観が感得されるものであった。
【００３２】
そして、図１２は本発明に係る仏壇の概要正面図である。本発明に係る仏壇３１においては、本発明に係る三枚構成から成る透過性蒔絵板を欄間３２と須弥脇３４に、更に、本発明に係る二枚構成から成る透過性蒔絵板を須弥壇３３に嵌め込んだものである。ここで、本発明に係る仏壇３１は、従来の仏壇同様に宗教的形式性を維持していると共に、更に装飾的な付加価値を醸成したものである。一方、言及するまでもなく、本発明に係る透過性蒔絵板の嵌め込み箇所は、図１２に限定されるものではなく、図１に説明のように、欄間、戸張、大戸、障子、須弥壇、須弥脇、中段、障子腰、太鼓脇、猫戸のいずれか一箇所以上で採用することができる。
【００３３】
そしてまた、図１３は本発明に係る経机の概要正面図である。本発明に係る経机３５においては、本発明に係る二枚構成から成る透過性蒔絵板を鏡板３６に嵌め込んだものである。ここで、本発明に係る経机３５は、従来の経机同様に宗教的形式性を維持していると共に、更に装飾的な付加価値を醸成したものであると共に、上記仏壇３１に前面に配置した場合、全く違和感がなく極めて新鮮な趣が感じられた。
【産業上の利用可能性】
【００３４】
本発明は、上記に詳述したよう構成されていることから、以下に記載されるような利用可能性が考えられる。
【００３５】
本発明に係る複数枚構成から成る透過性蒔絵板の嵌め込みによる仏壇及び経机は、従来技法の細密な彫刻による一辺倒な遠近感の付け方に対して、新規な技法を開示するものであり、花鳥風月等を題材とした遠近感がある蒔絵模様が、これら宗教用具に優美さをも付与するものであり、その利用可能性は計り知れない。
【００３６】
また、上記複数枚構成から成る透過性蒔絵板の嵌め込みによる技法は、言及するまでもなく仏壇及び経机のみに限定されるものではなく、その他の宗教用具にも採用される可能性があり、極めてその利用の可能性は高い。
【図面の簡単な説明】
【００３７】
【図１】標準的な仏壇の正面図。
【図２】標準的な経机の正面図。
【図３】本発明に係る透過性蒔絵板を外側板、中板、内板の三枚で構成した際の平面図。
【図４】本発明に係る透過性蒔絵板を外側板、中板、内板の三枚で構成した際のもう一つの平面図。
【図５】本発明に係る透過性蒔絵板を外側板、内板の二枚で構成した際の平面図。
【図６】本発明に係る透過性蒔絵板を外側板、内板の二枚で構成した際のもう一つの平面図。
【図７】三枚構成から成る透過性蒔絵板を枠体部に嵌め込んだ際の概要図。
【図８】三枚構成から成る透過性蒔絵板を枠体部に嵌め込んだ際のもう一つの概要図。
【図９】二枚構成から成る透過性蒔絵板を枠体部に嵌め込んだ際の概要図。
【図１０】二枚構成から成る透過性蒔絵板を枠体部に嵌め込んだ際のもう一つの概要図。
【図１１】三枚構成から成る透過性蒔絵板を重畳した際の正面図。
【図１２】本発明に係る仏壇の概要正面図。
【図１３】本発明に係る経机の概要正面図。
【符号の説明】
【００３８】
１・・・・・・・・・・・・・仏壇
２、３２・・・・・・・・・・欄間
３・・・・・・・・・・・・・戸張
４・・・・・・・・・・・・・大戸
５・・・・・・・・・・・・・障子
６、３３・・・・・・・・・・須弥壇
７、３４・・・・・・・・・・須弥脇
８・・・・・・・・・・・・・中段
９・・・・・・・・・・・・・障子腰
１０・・・・・・・・・・・・太鼓脇
１１・・・・・・・・・・・・猫戸
１２・・・・・・・・・・・・下台
１３・・・・・・・・・・・・本体
１４・・・・・・・・・・・・経机
１５、３６・・・・・・・・・鏡板
１６、１９、２２、２４・・・内板
１７、２０・・・・・・・・・中板
１８、２１、２３、２５・・・外板
２６・・・・・・・・・・・・枠体部
２７・・・・・・・・・・・・透過性蒔絵板
２８、２９、３０・・・・・・蒔絵
３１・・・・・・・・・・・・本発明に係る仏壇
３５・・・・・・・・・・・・本発明に係る経机
【図１】
2008183282.tif 000003
【図２】
2008183282.tif 000004
【図３】
2008183282.tif 000005
【図４】
2008183282.tif 000006
【図５】
2008183282.tif 000007
【図６】
2008183282.tif 000008
【図７】
2008183282.tif 000009
【図８】
2008183282.tif 000010
【図９】
2008183282.tif 000011
【図１０】
2008183282.tif 000012
【図１１】
2008183282.tif 000013
【図１２】
2008183282.tif 000014
【図１３】
2008183282.tif 000015